(57)【要約】【課題】泡の発生による処理水の水質悪化を防止した水処理装置を提供する。【解決手段】堰状の原水流入部１５を経て原水１２が流入する薬品混和池を有し、原水流入部１５の原水流入辺１５ａから薬品混和池の水面１４ａに向かって斜め下方に傾斜して傾斜通路１７を設け、この傾斜通路１７の上方に配置され、この傾斜通路１７を流下する原水１２に凝集剤を供給する凝集剤供給装置１８を設けた。【選択図】図２
2018038963.tif 000002
【特許請求の範囲】
【請求項１】
堰状の原水流入部を経て原水が流入する薬品混和池と、
前記原水流入部の原水流入辺から前記薬品混和池の水面に向かって斜め下方に傾斜して設けられた傾斜通路と、
前記傾斜通路の上方に配置され、この傾斜通路を流下する前記原水に凝集剤を供給する凝集剤供給装置と、
を備えたことを特徴とする水処理装置。
【請求項２】
前記傾斜通路の下端部は、前記薬品混和池の水中に達していることを特徴とする請求項１に記載の水処理装置。
【請求項３】
前記凝集剤供給装置は、薬品供給管の先端に噴射装置を設けて構成され、この噴射装置は、前記傾斜通路の上方の、前記原水流入部の近傍に配置され、原水流入部を通過した原水に対し凝集剤を噴射することを特徴とする請求項１又は請求項２に記載の水処理装置。
【発明の詳細な説明】
【技術分野】
【０００１】
本発明の実施形態は、原水への凝集剤供給装置を備えた水処理装置に関する。
【背景技術】
【０００２】
上水施設などでは、着水井に流入した原水を、堰状の原水流入部から薬品混和池に流入させ、この薬品混和池にて凝集剤（例えば、ＰＡＣ：ポリ塩化アルミニウム）を供給している。薬品混和池内では、原水中の懸濁物質（鉄、マンガン等の無機物質、有機物）がＰＡＣと反応することで凝集し、フロックが形成され、懸濁物質は減少する。ＰＡＣと結合した懸濁物質を含むフロックは沈殿池にて沈降分離され、上澄水が清澄になる事で水質が向上される。
【０００３】
このような反応を高めるためには、薬品混和池において原水と凝集剤であるＰＡＣとを十分に混合させなければならない。
【先行技術文献】
【特許文献】
【０００４】
【特許文献１】特開２０１３-１３８７０号公報
【特許文献２】特開２００２-３３６６０５号公報
【発明の概要】
【発明が解決しようとする課題】
【０００５】
しかしながら  着水井から薬品混和池への原水流入部は、薬品混和池の水面より高い堰状に構成されているため、原水は落差を持って薬品混和池の水面上に落下する。このため、落下衝撃による機械的作用により、多量の泡が水面付近に発生した。
【０００６】
前述の通り、本来、原水中の懸濁物質とＰＡＣとが混合しないといけないが、多量の泡の存在により、原水中の懸濁物質とＰＡＣとが混合する前に、泡に、原水中の懸濁物質が結合していた。同様に、薬品混和池の中央部に供給されたＰＡＣも、泡と結合されてしまう。これらの結果、原水中の懸濁物質とＰＡＣとが十分に結合されず、フロックができ難かった。
【０００７】
また、泡に結合した懸濁物質とＰＡＣは、水面付近に浮いたまま、処理水として流出する。余った懸濁物質も、そのまま処理水として流出する。このため、原水中の懸濁物質は処理されることなく、処理水の水質悪化が生じた。
【０００８】
本発明は、泡の発生による処理水の水質悪化を防止した水処理装置を提供することにある。
【課題を解決するための手段】
【０００９】
本発明の実施の形態に係る水処理装置は、堰状の原水流入部を経て原水が流入する薬品混和池と、前記原水流入部の原水流入辺から前記薬品混和池の水面に向かって斜め下方に傾斜して設けられた傾斜通路と、前記傾斜通路の上方に配置され、この傾斜通路を流下する原水に凝集剤を供給する凝集剤供給装置とを備えたことを特徴とする。
【００１０】
上記構成によれば、泡の発生を抑制でき、泡が発生しても、原水と凝集剤との混合による凝集反応、フロック形成反応を十分に行わせることで、良好な処理水質を得ることができる。
【図面の簡単な説明】
【００１１】
【図１】本発明の一実施形態に係る水処理装置の斜視図」である。
【図２】上記水処理装置の断面図である。
【図３】他の実施の形態を示す断面図である。
【発明を実施するための形態】
【００１２】
以下、本発明の実施の形態について、図面を用いて詳細に説明する。
【００１３】
図１において、着水井１１には、図示しない河川などの水源から原水１２がひきこまれ着水する。この着水井１１に隣接して薬品混和池１４が設けられている。この薬品混和池１４と着水井１１との間には堰状の原水流入部１５が設けられており、この堰状の原水流入部１５を経て原水が薬品混和池１４へ流入する。
【００１４】
原水流入部１５には傾斜通路１７が設けられている。すなわち、原水流入部１５の原水流入辺１５ａと薬品混和池１４の水面との間には高低差があり、この高低差による原水１２の落下衝撃を低減するために、図２で示すように、原水流入辺１５ａから薬品混和池１４の水面１４ａに向かって斜め下方に傾斜する板材を設け、傾斜通路１７を構成する。
【００１５】
傾斜通路１７の上方には凝集剤供給装置１８が配置されており、傾斜通路１７を流下する原水１２に凝集剤（以下、ＰＡＣとして説明する）を供給する。凝集剤供給装置１８は、図１で示すように、凝集剤の供給管１８ａの先端にノズルなどによる噴射装置１８ｂを設けたものを用いるとよい。この場合、噴射装置１８ｂは、傾斜通路１７の上方の、原水流入部１５の近傍に配置し、原水流入部１５を通過した原水に対し凝集剤を噴射する。
【００１６】
もちろん、噴射装置１８ｂを設けずに、傾斜通路１７を流下する原水１２に単に凝集剤を滴下供給するものでもよい。
【００１７】
上記構成において、着水井１１内の原水１２は、着水井１１内の流れ方向の末端に設けられた原水流入部１５を経て薬品混和池１４へ流入する。この原水流入部１５の、原水流入辺１５ａから薬品混和池１４の水面１４ａに向かって傾斜通路１７が設けられており、原水１２はこの傾斜通路１７上を流下する。
【００１８】
傾斜通路１７を設けたことにより、傾斜通路１７の下端から薬品混和池１４の水面１４ａへの落下する際の機械的衝撃は、傾斜通路１７を設けない場合に比べ大幅に低減され、機械的衝撃により発生する泡の量も従来に比べ大幅に少ない。
【００１９】
凝集剤の１種であるＰＡＣ（ポリ塩化アルミニウム）は、傾斜通路１７の上方に配置された凝集剤供給装置１８から、傾斜通路１７を流下する原水１２に供給される。
【００２０】
図２は、原水１２中の懸濁物２１と、原水１２に供給されるＰＡＣ２２及びこれらが混合されたフロック２３との関係を模式的に表している。
【００２１】
傾斜通路１７の上方から供給されたＰＡＣ２２は傾斜通路１７上で原水１２と接触する。
【００２２】
この接触による機械的撹拌作用により、原水１２中の懸濁物質２１とＰＡＣ２２とが傾斜通路１７上で混合される。混合されたことで、懸濁物質２１とＰＡＣ２２とが結合してフロック２３が形成される。形成されたフロック２３は、傾斜通路１７の下端から薬品混和池１４に落下し、その落下の機械的衝撃作用により泡２５が発生する。しかし、泡２５の発生量は前述のように従来に比べ大幅に少なく、フロック２３の形成に支障を与えることはない。
【００２３】
その後、フロック２３は図示しないろ過池に供給され、ろ過池内で沈降される。フロック２３の沈降により、その上澄水が清浄な処理水として配水される。なお、余った懸濁物質２１と発生した泡２５は、処理水の中に含まれた状態で排出されるが、その量は従来に比べごく僅かである。
【００２４】
このように、泡２５が発生する前に、傾斜通路１７上で原水１２中の懸濁物質２１とＰＡＣ２２とが混合され、凝集反応が起こり、フロック２３が形成されるため、泡２５が生じてもその泡２５に妨害されることがなくなる。よって、懸濁物質２１の大部分はフロック２３として沈殿分離され、懸濁物質２１が低減された、水質が良好な処理水１３となって配水される。
【００２５】
また、凝集剤供給装置１８として、図１で示したように、凝集剤の供給管１８ａの先端にノズルなどによる噴射装置１８ｂを設け、これを傾斜通路１７の上方の、原水流入部１５の近傍に配置し、原水流入部１５を通過した原水に対し凝集剤を噴射するように構成した4場合、ＰＡＣ２２は、ＰＡＣ供給配管１８ａを通り、その先端の噴射装置１８ｂで流速を高くされた状態で、原水流入部１５の近傍に供給される。原水１２に対して、流速が高くなったＰＡＣ２２の流入衝撃により、原水１２とＰＡＣ２２との流動状態が高くなり、混合速度も向上する。このため原水１２の懸濁物２１とＰＡＣ２２とが混合して凝集反応が起こり、フロック２３が形成される。このフロック２３は、薬品混和池１４の下方に流出し、前述したようにろ過池から清浄な処理水として排出される。
【００２６】
このように、噴射装置１８ｂによりＰＡＣ２２の、傾斜通路１７での供給流速を高めたので、傾斜通路１７上での原水１２とＰＡＣ２２との混合反応が促進される。このため、凝集反応およびフロック２３の形成反応が促進され、処理水質がさらに向上する。
【００２７】
また、図３で示すように、傾斜通路１７の下端部が、薬品混和池１４の水中に達する長さとしてもよい。このように構成すると、傾斜通路１７の下端部が薬品混和池１４の水面中に没しているため、傾斜通路１７上での原水１２の懸濁物２１とＰＡＣ２２との混合による凝集反応で形成されたフロック２３は、傾斜通路１７上を下方に流下し、薬品混和池１４の水中まで到達する。
【００２８】
このように、傾斜通路１７の下端が薬品混和池１４の水面下まで達しているので、原水１２が薬品混和池１４の水面１４ａ上に落下することはなく、滑らかに傾斜通路１７を流下する。このため、泡２５の発生が抑制され、傾斜通路１７上で十分に混合できずに余った懸濁物質２１が存在したとしても、泡２５が殆ど存在しないので、薬品混和池１４中に存在するＰＡＣ２２の余剰分と反応し、フロック２３を多く発生させることができる。よって、原水１２とＰＡＣ２２との混合による凝集反応が過不足なく発生し、処理水質がさらに向上する
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２９】
１１…着水井
１２…原水
１４…薬品混和池
１５…原水流入部
１５ａ…原水流入辺
１７…傾斜通路
１８…凝集剤供給装置
１８ｂ…噴射装置
２１…懸濁物質
２２…凝集剤（ＰＡＣ）
２３…フロック
２５…泡
【図１】
2018038963.tif 000003
【図２】
2018038963.tif 000004
【図３】
2018038963.tif 000005